(57)【要約】  本発明の回路遮断器の端子構造は、回路遮断器の筐体（１、２）に保持されている端子金具（３５）と、この端子金具（３５）に設けた接続空間（３６）と、この接続空間（３６）に挿入した丸形圧着端子（３３）を端子金具（３５）に設けた端子当接部（３５ａ）に電気的に接続する接続部（４１、４２）と、丸形圧着端子（３３）が接続空間（３６）から抜けるのを規制する抜け止め部（３９、４３）とを備えている。
2016038778.tif 000002
【特許請求の範囲】
【請求項１】
回路遮断器の筐体に保持されている端子金具と、  この端子金具に設けた接続空間と、  この接続空間に挿入した丸形圧着端子を前記端子金具に設けた端子当接部に電気的に接続する接続部と、  前記丸形圧着端子が前記接続空間から抜けるのを規制する抜け止め部と、を備えていることを特徴とする回路遮断器の端子構造。
【請求項２】
前記端子金具の前記接続空間に、金属帯を折り曲げて形成した接続ばねを配置し、  当該接続ばねは、  前記接続空間に挿入した前記丸形圧着端子に当接する押圧部と、  この押圧部が前記丸形圧着端子を前記端子当接部側に押圧するように該押圧部に弾性復元力を作用する復元力付与部と、  前記丸形圧着端子の丸孔に弾性変形しながら入り込む係合板部と、を備え、  前記係合板部の近くの前記筐体に変形規制部材を設け、  前記接続部を、前記接続ばねの前記押圧部と、前記復元力付与部と、で構成し、  前記抜け止め部を、前記丸形圧着端子の前記丸孔に入り込んだ前記係合板部と、前記丸孔に入り込んだ前記係合板部が変形して前記丸孔から抜け出るのを規制する前記変形規制部材と、で構成したことを特徴とする請求項１記載の回路遮断器の端子構造。
【請求項３】
前記押圧部の幅寸法は、前記丸形圧着端子の外径寸法と略同一寸法に設定されていること特徴とする請求項２記載の回路遮断器の端子構造。
【発明の詳細な説明】
【技術分野】
【０００１】  本発明は、電線の端部に結合した丸形圧着端子を接続する回路遮断器の端子構造に関する。
【背景技術】
【０００２】  丸形圧着端子を接続する回路遮断器の端子構造として、例えば特許文献１に記載の構造が知られている。  この特許文献１の構造は、ねじ孔を形成した端子部と、端子部を上方から覆うように回路遮断器の端子部の上部に装着する端子カバーと、この端子カバーにねじ部を下方に向けて係合しており、端子部のねじ孔に結合可能な雄ねじと、を備えている。そして、電線の端部に結合した丸形圧着端子を端子部の上部に配置し、端子カバーに係合している雄ねじを、丸形圧着端子の丸孔を通過させて端子部のねじ孔にねじ込むことで、回路遮断器の端子部に丸形圧着端子を接続する。
【先行技術文献】
【特許文献】
【０００３】
【特許文献１】特開２００３−６８３８０号公報
【発明の概要】
【発明が解決しようとする課題】
【０００４】  ところで、特許文献１の回路遮断器の端子構造は、端子部に丸形圧着端子を接続する際に雄ねじのねじ締め作業を必要とするので、接続作業に時間がかかる。また、ねじ部材のねじ締めにドライバーなどの工具が必要となる。  本発明は上記事情に鑑みてなされたものであり、ドライバーなどの工具を不要として端子部に丸形圧着端子を短時間で接続することができ、接続作業の効率を高めることができる回路遮断器の端子構造を提供することを目的としている。
【課題を解決するための手段】
【０００５】  上記目的を達成するために、本発明の一態様に係る回路遮断器の端子構造は、回路遮断器の筐体に保持されている端子金具と、この端子金具に設けた接続空間と、この接続空間に挿入した丸形圧着端子を端子金具に設けた端子当接部に電気的に接続する接続部と、丸形圧着端子が接続空間から抜けるのを規制する抜け止め部とを備えている。
【発明の効果】
【０００６】  本発明に係る回路遮断器の端子構造によれば、丸形圧着端子を端子金具の接続空間に挿入するだけで、接続部が端子金具の端子当接部に丸形圧着端子を電気的に接続し、抜け止め部が接続空間から丸形圧着端子が抜けるのを防止するので、ドライバーなどの工具を不要として丸形圧着端子を短時間で接続することができ、接続作業の効率を高めることができる。
【図面の簡単な説明】
【０００７】
【図１】回路遮断器の内部構造を示す断面図である。
【図２】本発明に係る第１実施形態の端子部の構造を示す斜視図である。
【図３】本発明に係る丸形圧着端子を示す平面図である。
【図４】本発明に係る第１実施形態の端子部に丸形圧着端子を接続した状態を示す斜視図である。
【図５】本発明に係る第２実施形態の端子部の構造を示す斜視図である。
【図６】本発明に係る第２実施形態の端子部に丸形圧着端子を接続した状態を示す斜視図である。
【発明を実施するための形態】
【０００８】  以下、本発明を実施するための形態（以下、実施形態という。）を、図面を参照しながら詳細に説明する。  図１に示すように、本発明に係る回路遮断器は、ケース１とカバー２とからなる絶縁容器内に、消弧室３と、過電流引外し装置４と、固定接触子５と、可動接触子６と、可動接触子６を回動自在に保持するホルダ７と、可動接触子６をホルダ７を介して開閉動作させる開閉機構１５とが配置されている。  固定接触子５は、一端側に電源側端子５ａが形成され、他端側に固定接点５ｂが形成されている。可動接触子６は、固定接触子５の固定接点５ｂに接触する可動接点６ａが形成されている。消弧室３は、固定接点５ｂと可動接点６ａとの間の開閉動作に起因して発生したアークを消弧する。
【０００９】  可動接触子６の基端には可撓性のリード線８の一端が接続され、リード線８の他端は、電線接続板１０を介して中継導体９の一端に接続されている。  中継導体９は、電線接続板１０に接続する下部平板部９ｂと、下部平板部９ｂの端部から立ち上がる立上がり板部９ｃと、この立上がり板部９ｃの上端から折り曲げられ、下部平板部９ｂに対して平行に、且つ下部平板部９ｂから離間する方向に延在する上部平板部９ｄとを備えている。なお、中継導体９の立上がり板部９ｃがヒータとなっている（以下、ヒータ９ｃと称する）。
【００１０】  開閉機構１５は、開閉操作を行うハンドル１６と、ハンドル１６と連動して動作するハンドルレバー１７と、上トグル１８及び下トグル１９からなるトグルリンク機構２１と、ラッチ２０と、ラッチ２０と係合するラッチ受け２２と、中間ラッチ２３と、中間ラッチ２３を回動させてラッチ２０及びラッチ受け２２の係合を外すトリップバー２４と、を備えている。  過電流引外し装置４は、中継導体９の立上がり板部９ｃに下部が固定されたバイメタル２６と、このバイメタル２６の上部の自由端に固定され、トリップバー２４の近傍まで延在する延長板２７と、延長板２７の上部の自由端に係合し、トリップバー２４との間に所定のギャップを設けるように進退可能とした調整ネジ２８と、バイメタル２６の下部にかしめ固定したヒータ９ｃと、電源側端子５ａ及び後述する負荷側端子部３１の間に短絡電流などの大電流が流れる際に先端部でトリップバー２４を叩き、ラッチ２０とラッチ受け２２の係合を外す固定マグネット２９及びアーマチュア３０と、を備えている。
【００１１】  ここで、回路遮断器の中継導体９に、本発明に係る第１実施形態の負荷側端子部３１が電気的に接続しており、この負荷側端子部３１の差し込み口（図１の符号ＩＮで示す位置）から電線３２の端部に結合した丸形圧着端子３３を差し込むことで、負荷側端子部３１と丸形圧着端子３３とを電気的に接続するものである。  負荷側端子部３１は、図１に示すように、中継導体９の上部平板部９ｄの上部に当接し、ケース１の上部とカバー２の下部に上下方向から保持されている端子座３５と、この端子座３５に設けた接続空間３６で保持されている接続ばね３７と、端子座３５が当接しているケース１の内壁１ａから端子座３５の接続空間３６を横切るように突出している第１突起部３８と、端子座３５から離れた丸形圧着端子３３の差し込み口ＩＮ側で第１突起部３８と平行にケース１の内壁１ａから突出している第２突起部３９とを備えている。なお、第１突起部３８は、部品を組立てる際に接続ばね３７を位置決めするものであり、部品の組み立てが容易に行える。
【００１２】  端子座３５は、図２に示すように、金属板材を略コ字形状に折り曲げ形成してなる上面部３５ａ、側面部３５ｂ及び下面部３５ｃを備えた部材であり、これら上面部３５ａ、側面部３５ｂ及び下面部３５ｃで囲まれた空間を接続空間３６とし、下面部３５ｃが中継導体９の上部平板部９ｄに当接し、側面部３５ｂがケース１の内壁１ａに当接した状態でケース１及びカバー２の間に配置されている。  接続ばね３７は、金属帯を折り曲げて形成したばね部材であり、図２に示すように、端子座３５の下面部３５ｃの上面に接触している底辺部４０と、底辺部４０の長手方向の一端からＳ字状に立ち上がっている復元力付与部４１と、復元力付与部４１の上端に形成した押圧部４２と、底辺部４０の長手方向の他端から略Ｖ字状に立ち上がっている係合板部４３と備えている。
【００１３】  復元力付与部４１は、底辺部４０の長手方向の一端から係合板部４３に対して離間する方向に突出して湾曲している下部湾曲部４１ａと、下部湾曲部４１ａの上方に形成され、係合板部４３に向う方向に突出して湾曲している上部屈曲部４１ｂとを備えている。  第１突起部３８は、ケース１の内壁１ａから端子座３５の側面部３５ｂに設けた突起通過孔（不図示）を通過し、差し込み口ＩＮに対して接続ばね３７の上部屈曲部４１ｂより離れた位置で接続空間３６を横切るように突出している。  また、第２突起部３９は、差し込み口ＩＮに対して接続ばね３７の係合板部４３より近い位置でケース１の内壁１ａから突出している。  ここで、本発明に係る筐体がケース１及びカバー２に対応し、本発明に係る端子金具が端子座３５に対応し、本発明に係る端子当接部が端子座３５の上面部３５ａに対応し、本発明に係る変形規制部材が第２突起部３９に対応している。
【００１４】  次に、上述した第１実施形態の負荷側端子部３１に丸形圧着端子３３を接続する動作、丸形圧着端子３３を負荷側端子部３１から取り外す動作などについて、図４を参照して説明する。なお、丸形圧着端子３３は、図３に示すように丸孔３３ａを形成した端子であり、図３の符号３３ｂで示す部位を端子先端と称する。  負荷側端子部３１に丸形圧着端子３３を接続する際には、差し込み口ＩＮから負荷側端子部３１に向けて丸形圧着端子３３を差し込む。丸形圧着端子３３の端子先端３３ｂが接続ばね３７の係合板部４３に当接すると、係合板部４３が復元力付与部４１に向って弾性変形しながら傾いていく。  そして、丸形圧着端子３３を、端子座３５の上面部３５ａに接触させながら、さらに差し込んでいくと、図４に示すように、端子先端３３ｂに係合していた係合板部４３の先端４３ａが丸孔３３ａに入り込みながら、弾性復帰により復元力付与部４１から離間する方向に立ち上がる。同時に、丸形圧着端子３３の下面に当接した押圧部４２が下方移動することで、復元力付与部４１は下方に圧縮された状態で弾性変形する。
【００１５】  この復元力付与部４１の弾性復元力により押圧部４２が丸形圧着端子３３に対して端子座３５の上面部３５ａに向う押圧力を作用し、端子座３５及び丸形圧着端子３３が電気的に接続される。  ここで、負荷側端子部３１に接続されている丸形圧着端子３３に対して引き抜き力が作用すると（図４の破線で示す右方向の矢印Ｆ１で示す力）、丸形圧着端子３３の引き抜き方向の移動とともに、先端４３ａが丸孔３３ａに入り込んでいる係合板部４３も引き抜き方向に移動しようとする。しかし、係合板部４３より差し込み口ＩＮ側に位置する第２突起部３９が係合板部４３の引き抜き方向の移動を規制する。このように、第２突起部３９及び係合板部４３が、負荷側端子部３１に対する丸形圧着端子３３の抜け止め機能を果たす。
【００１６】  また、丸形圧着端子３３を負荷側端子部３１から取り外す際には、丸孔３３ａに入り込んでいる係合板部４３の先端４３ａに対して下方を向く外力を作用する（図４の実線で示す下方の矢印Ｆ２で示す力）。このような外力を作用することで、丸形圧着端子３３の丸孔３３ａに対する係合板部４３の係合を解除し、丸形圧着端子３３を負荷側端子部３１から引き抜くことができる。  したがって、第１実施形態の負荷側端子部３１によると、丸形圧着端子３３の差し込み動作を行うだけで、接続ばね３７の押圧部４２が、復元力付与部４１の弾性復元力により丸形圧着端子３３に対して上面部３５ａに向う押圧力を作用して端子座３５に丸形圧着端子３３を電気的に接続するとともに、丸形圧着端子３３の丸孔３３ａに入り込んだ係合板部４３及び第２突起部３９が丸形圧着端子３３の抜け止め機能を果たすので、ねじ部材を回すためのドライバーなどの工具を不要として負荷側端子部３１に丸形圧着端子３３を短時間で接続することができ、接続作業の効率を高めることができる。
【００１７】  また、接続ばね３７は、底辺部４０の長手方向の一端からＳ字状に立ち上がる復元力付与部４１と、復元力付与部４１の上端に形成した押圧部４２と、底辺部４０の長手方向の他端から略Ｖ字状に立ち上がっている係合板部４３とを、金属帯を折り曲げて形成した簡便な構造としているので、安価な端子構造を提供することができる。  また、丸形圧着端子３３を負荷側端子部３１から取り外す際には、丸孔３３ａに入り込んでいる係合板部４３の先端４３ａに対して下方を向く外力を作用することで、簡単に丸形圧着端子３３の丸孔３３ａと係合板部４３との係合を解除することができるので、丸形圧着端子３３を負荷側端子部３１から容易に引き抜くことができる。
【００１８】  次に、図５から図６は、本発明に係る第２実施形態の負荷側端子部５０を示すものである。なお、図１から図４で示した構成と同一構成部分には同一符号を付して説明は省略する。  この第２実施形態の負荷側端子部５０は、図５に示すように、端子座３５と、この端子座３５に設けた接続空間３６で保持されている接続ばね５１と、第１突起部３８と、第２突起部３９とを備えている。  接続ばね５１は、金属帯を折り曲げて形成したばね部材であり、図５に示すように、端子座３５の下面部３５ｃの上面に接触している底辺部５２と、底辺部５２の長手方向の一端からＳ字状に立ち上がっている復元力付与部５３と、復元力付与部５３の上端に形成した押圧部５４と、底辺部５２の長手方向の他端から略Ｖ字状に立ち上がっている係合板部５５と備えている。
【００１９】  復元力付与部５３は、底辺部５２の長手方向の一端から係合板部５５に対して離間する方向に突出して湾曲している下部湾曲部５３ａと、下部湾曲部５３ａの上方に形成され、係合板部５５に向う方向に突出して湾曲している上部屈曲部５３ｂとを備えている。  ここで、復元力付与部５３の下部湾曲部５３ａより上部側と押圧部５４までの幅寸法Ｈは、第１実施形態の復元力付与部４１及び押圧部４２の幅寸法より大きく、丸形圧着端子３３の外径寸法Ｄと略同一寸法に設定されている。  この第２実施形態の負荷側端子部５０によると、丸形圧着端子３３の差し込み動作を行うだけで、図６に示すように、接続ばね５１の押圧部５４が、復元力付与部５３の弾性復元力で丸形圧着端子３３に対して上面部３５ａに向う押圧力を作用して端子座３５に丸形圧着端子３３を電気的に接続するとともに、丸形圧着端子３３の丸孔３３ａに入り込んだ係合板部５５及び第２突起部３９が丸形圧着端子３３の抜け止め機能を果たしているので、ねじ部材を回すためのドライバーなどの工具を不要として負荷側端子部５０に丸形圧着端子３３を短時間で接続することができ、接続作業の効率を高めることができる。
【００２０】  また、この第２実施形態の接続ばね５１も、底辺部５２の長手方向の一端からＳ字状に立ち上がる復元力付与部５３と、復元力付与部５３の上端に形成した押圧部５４と、底辺部５２の長手方向の他端から略Ｖ字状に立ち上がっている係合板部５５とを、金属帯を折り曲げて形成した簡便な構造としているので、安価な端子構造を提供することができる。  しかも、この第２実施形態の接続ばね５１は、復元力付与部５３の下部湾曲部５３ａより上部側と押圧部５４までの幅寸法Ｈが、第１実施形態の復元力付与部４１及び押圧部４２の幅寸法より大きく、丸形圧着端子３３の外径寸法Ｄと略同一寸法に設定されていることから、丸形圧着端子３３との接触面積が増大して丸形圧着端子３３に対する復元力付与部５３の弾性復元力が確実に作用するので、負荷側端子部５０と丸形圧着端子３３との電気接続の信頼性を高めることができる。
【００２１】  さらに、丸形圧着端子３３を負荷側端子部５０から取り外す際には、丸孔３３ａに入り込んでいる係合板部５５の先端５５ａに対して下方を向く外力（図６の実線で示す下方の矢印Ｆ２で示す力）を作用することで、簡単に丸形圧着端子３３の丸孔３３ａと係合板部５５との係合を解除することができるので、丸形圧着端子３３を負荷側端子部５０から容易に引き抜くことができる。
【産業上の利用可能性】
【００２２】  以上のように、本発明に係る回路遮断器の端子構造は、ドライバーなどの工具を不要として端子部に丸形圧着端子を短時間で接続することができ、接続作業の効率を高めることに有用である。
【符号の説明】
【００２３】  １…ケース  ２…カバー  ９…中継導体  ９ｄ…上部平板部  ３１…負荷側端子部  ３２…電線  ３３…丸形圧着端子  ３３ａ…丸孔  ３５…端子座  ３５ａ…上面部  ３５ｂ…側面部  ３５ｃ…下面部  ３６…接続空間  ３７…接続ばね  ３８…第１突起部  ３９…第２突起部  ４０…底辺部  ４１…復元力付与部  ４１ａ…下部湾曲部  ４１ｂ…上部屈曲部  ４２…押圧部  ４３…係合板部  ５０…負荷側端子部  ５１…接続ばね  ５２…底辺部  ５３…復元力付与部  ５３ａ…下部湾曲部  ５３ｂ…上部屈曲部  ５４…押圧部  ５５…係合板部  ＩＮ…負荷側端子部の差し込み口 
【図１】
2016038778.tif 000003
【図２】
2016038778.tif 000004
【図３】
2016038778.tif 000005
【図４】
2016038778.tif 000006
【図５】
2016038778.tif 000007
【図６】
2016038778.tif 000008
【国際調査報告】
2016038778.tif 000009
2016038778.tif 000010
2016038778.tif 000011
2016038778.tif 000012